(57)【要約】【課題】  使用時に、袋体の開口部を縛るための紐部を袋体から切り離したときの置き場所に困ることがなく、使用後に、該紐部により速やかに該袋体の開口部を縛ることを可能にする。【解決手段】  本発明の簡易トイレ用汚物処理袋１は、合成樹脂製の筒状フィルムの筒長方向における一端側に筒幅方向の全幅に渡って閉塞用の底シール部２が形成された袋体３と、前記筒状フィルムの他端側に、筒幅方向の全幅に渡るミシン目４を介して一体的に形成された紐部５とを有している。袋体３は、前記筒長方向における途中部に、前記筒幅方向に互いに間隔をおいて、前記筒長方向に延びる一対の切れ目６，６が形成されている。切れ目６は、紐部５の幅と略等しい長さに形成されている。紐部５は、前記筒幅方向に延びる少なくとも１条のシール部７が形成されている【選択図】      図２
2014183955.tif 000002
【特許請求の範囲】
【請求項１】
合成樹脂製の筒状フィルムの筒長方向における一端側に筒幅方向の全幅に渡って閉塞用の底シール部が形成された袋体と、前記底シール部の前記一端側に、又は、前記筒状フィルムの他端側に、筒幅方向の全幅に渡るミシン目を介して一体的に形成された紐部とを有しており、
前記袋体は、前記筒長方向における途中部に、前記筒幅方向に互いに間隔をおいて、前記筒長方向に延びる一対の切れ目が形成されており、
前記切れ目は、前記紐部の幅と略等しい長さに形成されている
簡易トイレ用汚物処理袋。
【請求項２】
前記紐部は、前記筒幅方向に延びる少なくとも１条のシール部が形成されている請求項１記載の簡易トイレ用汚物処理袋。
【発明の詳細な説明】
【技術分野】
【０００１】
本発明は、簡易トイレでの排便時に利用するための簡易トイレ用汚物処理袋に関するものである。
【背景技術】
【０００２】
従来の簡易トイレ用汚物処理袋としては、簡易トイレ用の排泄物処理袋を例示する（特許文献１参照。）。図４に示すように、この排泄物処理袋５１は、２層構造のフィルム積層体からなる袋体で構成されており、外側の面５２は白色を呈し、内側の面５３は黒色を呈している。袋体の開口部近傍には、該開口部周縁に沿って、紐を通すための孔（穴）５５５が所定間隔で複数個穿設されているとともに、袋体の開口端と前記孔の形成部位との間に、開口部周縁と平行にミシン目５４を施すことにより、袋体の開口端部に袋体の口を括るための紐となる部分が易分離可能に形成されている。
【０００３】
また、簡易トイレ用汚物処理袋ではないが、ゴミ袋としては、その袋体の開口部を縛るための紐部が袋体から完全に切離可能に形成されたものがある（特許文献２、３参照）。
【先行技術文献】
【特許文献】
【０００４】
【特許文献１】特開２００７−５０１３５号公報
【特許文献２】特開２０００−９５３０１号公報（図７〜図９）
【特許文献３】実開平６−５９２３９号公報（図４）
【発明の概要】
【発明が解決しようとする課題】
【０００５】
ところが、特許文献１の排泄物処理袋５１では、紐を通すための孔５５が袋体開口部近傍に設けられているため、縛り代が少なく、紐で縛り難いし、縛っている部分から汚物が漏れたときに外部に流出し易いという課題がある。また、紐が袋体の一部を切り取った一枚のフィルムからなっているため、強度が不足し、強く縛ることができず、袋体開口部を確実に密閉することが困難であるという課題がある。さらに、この排泄物処理袋５１では、簡易トイレに被せたときに、簡易トイレ表面が孔５５から外部に露出し易いので、特に簡易トイレを複数人で共用する場合の衛生的な課題もある。
【０００６】
また、袋体から完全に切離可能に紐を形成した場合、特許文献１の排泄物処理袋５１とは異なり、縛り代や孔５５に関する課題はない。しかし、簡易トイレ使用時に予め紐を切り取っておくと、紐の置き場所に困るという課題がある。そこで、簡易トイレ使用後に紐を切り取ることも考えられるが、そうすると、汚物を速やかに密閉することができず、臭いが周囲に拡散するという課題がある。
【課題を解決するための手段】
【０００７】
前記課題を解決するために、本発明の簡易トイレ用汚物処理袋は、
合成樹脂製の筒状フィルムの筒長方向における一端側に筒幅方向の全幅に渡って閉塞用の底シール部が形成された袋体と、前記底シール部の前記一端側に、又は、前記筒状フィルムの他端側に、筒幅方向の全幅に渡るミシン目を介して一体的に形成された紐部とを有しており、
前記袋体は、前記筒長方向における途中部に、前記筒幅方向に互いに間隔をおいて、前記筒長方向に延びる一対の切れ目が形成されており、
前記切れ目は、前記紐部の幅と略等しい長さに形成されている。
【０００８】
この構成によれば、使用前に前記袋体から切り離した前記紐部を、前記一対の切れ目に挿入しておくことができ、使用中に該紐部の置き場所に困ることがないし、使用後に速やかに前記袋体の開口部を縛ることができる。また、前記切れ目を前記筒長方向における中央部に設けておけば、前記紐部による縛り代を充分に確保することができる。また、前記切れ目は、前記紐部の幅と略等しい長さに形成されているので、前記紐部を挿通した状態で前記袋体を簡易トイレに被せたときに簡易トイレ表面が外部に露出することがなく、特に簡易トイレを複数人で共用する場合でも衛生的な問題の発生を防止できる。
【０００９】
前記簡易トイレ用汚物処理袋としては、
前記紐部は、前記筒幅方向に延びる少なくとも１条のシール部が形成されている態様を例示する。
【００１０】
この構成によれば、前記紐部は、前記シール部により補強されているので、前記袋体を強く縛ることができ、袋体開口部を確実に密閉することができる。
【発明の効果】
【００１１】
本発明に係る簡易トイレ用汚物処理袋によれば、使用時に、袋体の開口部を縛るための紐部を袋体から切り離したときの置き場所に困ることがなく、使用後に、該紐部により速やかに該袋体の開口部を縛ることができるという優れた効果を奏する。
【図面の簡単な説明】
【００１２】
【図１】本発明を具体化した一実施形態に係る簡易トイレ用汚物処理袋の正面図である。
【図２】同汚物処理袋の使用方法を段階的に示す図である。
【図３】同汚物処理袋の変更例を示す正面図である。
【図４】従来の簡易トイレ用の排泄物処理袋を示す斜視図である。
【発明を実施するための形態】
【００１３】
図１〜図２は本発明を具体化した一実施形態の簡易トイレ用汚物処理袋１を示している。この汚物処理袋１は、合成樹脂製の筒状フィルムを用いて形成されており、該筒状フィルムの筒長方向における一端側に筒幅方向の全幅に渡って閉塞用の底シール部２が形成された袋体３と、該筒状フィルムに、筒幅方向の全幅に渡るミシン目４を介して一体的に形成された紐部５とを有している。
【００１４】
汚物処理袋１の材質としては、特に限定されないが、ポリエチレン、ポリプロピレン、ポリ塩化ビニル、エチレン等の熱可塑性樹脂を採用することを例示する。
【００１５】
袋体３は、ヒートシール（本例では２条のヒートシール）により底シール部２が形成されるとともに、前記筒長方向における途中部に、前記筒幅方向に互いに間隔をおいて、前記筒長方向に延びる一対の切れ目６，６（図２（ｂ）参照）が形成されている。袋体３の形状としては、本例では、長方形に形成しているが、これに限定されない。一対の切れ目６，６は、本例では、扁平に折り畳まれることにより、二枚重ねになった状態のフィルムが切断手段により切断されることにより、一度に形成されている。また、切れ目６は、紐部５の幅と略等しい長さに形成されている。本例の切れ目６の両端には、該切れ目６の拡張を防止する止め孔６ａが設けられている。切れ目６を設ける位置としては、本例では、図２（ｄ）に示すように、簡易トイレ１０に装着したときに、便座１０ｂの位置となるようにしているが、それよりも袋体３の開口部側となる位置にしてもよい。
【００１６】
本例の紐部５は、前記筒状フィルムの他端側（閉塞用の底シール部２の反対側）に、筒幅方向の全幅に渡るミシン目４を介して一体的に形成されている。また、紐部５には、前記筒幅方向に延びる複数条（本例では６条）のシール部７がヒートシールにより形成されている。
【００１７】
本例の汚物処理袋１の製造方法としては、特に限定されないが、成形機から折り畳まれた状態で送り出された連続した筒状フィルムに対し、底シール部２、シール部７、ミシン目４、及び切れ目６を形成するとともに、所定の長さに切断することにより行う。
【００１８】
次に、図２を参照しながら、この汚物処理袋の使用方法を説明する。使用に際しては、まず、ミシン目４で袋体３から紐部５を切り離す（同図（ａ）参照）。次いで、紐部５の長さ方向の略中央が袋体３の一対の切れ目６，６の間に位置するように、該紐部５を該一対の切れ目６，６に挿通し（同図（ｂ）参照）、切れ目６，６が変形しない程度に緩く結んでおく（同図（ｃ）参照）。次いで、紐部５をセットした袋体３の底シール部２側を簡易トイレ１０の便器本体１０ａの中に押し込んで拡げるとともに、袋体３の開口部を開いて外側に折り返し、該折り返し部位を簡易トイレ１０の便座１０ｂに被せる（同図（ｄ）参照）。このとき、切れ目６，６が便座１０ｂの正面側に位置するとともに、紐部５が便器本体１０ａの外側に垂れ下がるようにして袋体３を便器１０に装着しておくとよい。そして、用便後は、袋体３を簡易トイレ１０から取り外し、紐部５の両端を手で持って袋体３の切れ目６，６のやや下側の外周に紐部５を巻き付けて縛る（同図（ｅ）参照）。すると、袋体３の開口部を密閉できる。
【００１９】
以上のように構成された本例の簡易トイレ用汚物処理袋１によれば、使用前に袋体３から切り離した紐部５を、一対の切れ目６，６に挿入しておくことができ、使用中に該紐部５の置き場所に困ることがないし、使用後に速やかに袋体３の開口部を縛ることができる。また、切れ目６，６を前記筒長方向における中央部に設けておけば、紐部５による縛り代を充分に確保することができる。また、切れ目６，６は、紐部５の幅と略等しい長さに形成されているので、紐部５を挿通した状態で袋体３を簡易トイレ１０に被せたときに簡易トイレ表面が外部に露出することがなく、特に簡易トイレ１０を複数人で共用する場合でも衛生的な問題の発生を防止できる。
【００２０】
また、紐部５は、シール部７により補強されているので、袋体３を強く縛ることができ、袋体開口部を確実に密閉することができる。
【００２１】
なお、本発明は前記実施形態に限定されるものではなく、例えば以下のように、発明の趣旨から逸脱しない範囲で適宜変更して具体化することもできる。
（１）図３に示すように、前記筒状フィルムにおける底シール部２の前記一端側に、筒幅方向の全幅に渡るミシン目４を介して紐部５が一体的に形成された形態にすること。
（２）袋体３に切れ目６，６を設ける位置を適宜変更すること。
（３）紐部５のシール部７の条数や、幅を適宜変更すること。
【符号の説明】
【００２２】
１    簡易トイレ用汚物処理袋
２    底シール部
３    袋体
４    ミシン目
５    紐部
６    切れ目
６ａ  止め孔
７    シール部
１０    簡易トイレ
１０ａ  便器本体
１０ｂ  便座
【図１】
2014183955.tif 000003
【図２】
2014183955.tif 000004
【図３】
2014183955.tif 000005
【図４】
2014183955.tif 000006